(57)【要約】【課題】繰り返し使用に適したテープ等の噴出物の発射器具を提供することを課題とする。【解決手段】筒状の器具本体１と、該器具本体１に装着される発射手段２と、テープや紙片等の噴出物６を内装した収納体１２とを具備し、前記器具本体１は複数の部材５，６に分離可能に構成され、前記発射手段２は、前記器具本体１の一方の部材６の前部に設けられ、前記収納体１２は、前記発射手段２に前方に突出するように着脱自在に取り付けられると共に、前記器具本体１の他方の部材５は、収納体１２を被覆するように、一方の部材６に着脱自在に取り付けられ、しかも、発射手段２は、圧縮気体が充填されたボンベ１１を備え、該ボンベ１１より噴出した圧縮気体は収納体１２内に通気して噴出物３６を発射させる構成にある。【選択図】  図１
2004187793.tif 000002
【特許請求の範囲】
【請求項１】
筒状の器具本体（１）と、該器具本体（１）に装着される発射手段（２）と、テープや紙片等の噴出物（３６）を内装した収納体（１２）とを具備し、前記器具本体（１）は複数の部材（５），（６）に分離可能に構成され、前記発射手段（２）は、前記器具本体（１）の一方の部材（６）の前部に設けられ、前記収納体（１２）は、前記発射手段（２）に前方に突出するように着脱自在に取り付けられると共に、前記器具本体（１）の他方の部材（５）は、収納体（１２）を被覆するように、一方の部材（６）に着脱自在に取り付けられ、しかも、発射手段（２）は、圧縮気体が充填されたボンベ（１１）を備え、該ボンベ（１１）より噴出した圧縮気体は収納体（１２）内に通気して噴出物（３６）を発射させる構成であることを特徴とするテープ等の噴出物の発射器具。
【請求項２】
前記ボンベ（１１）は交換可能に設けられていることを特徴とする請求項１記載のテープ等の噴出物の発射器具。
【請求項３】
前記ボンベ（１１）は、前記収納体（１２）と平行に設けられ、しかも、前記器具本体の他方の部材（５）に被覆されている請求項２に記載のテープ等の噴出物の発射器具。
【発明の詳細な説明】
【０００１】
【発明の属する技術分野】
本発明は、クリスマスや結婚式等の祝宴などに用いられ、テープや紙片等の噴出物を圧縮気体の圧力で空中に発射させるテープ等の噴出物の発射器具に関する。
【０００２】
【従来の技術】
パーティ等で雰囲気を盛り上げるために、テープや紙片を空中に発射してまき散らすテープ等の噴出物の発射器具としては、火薬式クラッカーが一般に広く知られている。該火薬式クラッカーは、紙製などからなる円錐状の筒形の外装体に、火薬体と、テープ・紙片等からなる噴出物とを内装すると共に、火薬体に固定された引き紐が筒体の外部に引き出されている。そして、引き紐を強く引くと、摩擦により発生する摩擦熱によって火薬体が発火・爆発し、その爆圧で噴出物が空中に発射されるものである。
【０００３】
しかしながら、前記火薬式クラッカーは、少量とはいえ、火薬を使用していることから、保管や取り扱いに注意が必要であり、取り扱いを誤ると火災などの事故を招く危険がある。また、火薬の使用量が一定量を超えると、消防法関係法令による届出が必要であったり、煙火従事者等有資格者でなければ取り扱いできないなどの制限を受ける。
【０００４】
そこで、火薬を使用せず、圧縮気体の圧力で噴出物を発射する、空圧式のテープ等の噴出物の発射器具が存在する。空圧式のテープ等の噴出物の発射器具としては、例えば、実用新案登録第３０７９６６４号公報所載のものが知られている。該空圧式のテープ等の噴出物の発射器具は、噴出物を内装した筒体の一端側に圧縮気体を充填したボンベが配置され、該ボンベの開口部は蓋体で閉塞されている。使用時は筒体をボンベに対して相対的に回転させることにより、ボンベの開口部を閉塞している蓋体が外れ、ボンベ内の圧縮気体が筒体の一端側より筒体内に通気し、その気体の圧力により、筒体の先端より噴出物が空中に発射される。
【０００５】
【発明が解決しようとする課題】
前記火薬式クラッカーにおいて、噴出物は消耗品であり、一度使用すると充填や交換ができない為、クラッカーを繰り返し使用することは困難である。また、前記空圧式のテープ等の噴出物の発射器具においても、筒体が一体に形成されており、火薬式クラッカーと同じく一度使用したテープ等の噴出物の発射器具を繰り返し使用することは困難である。
【０００６】
そこで、本発明はこのような問題を解決するためになされたもので、繰り返し使用に適したテープ等の噴出物の発射器具を提供することを課題とする。
【０００７】
【課題を解決するための手段】
本発明は、上記課題を解決すべくなされたものであり、筒状の器具本体１と、該器具本体１に装着される発射手段２と、テープや紙片等の噴出物６を内装した収納体１２とを具備し、前記器具本体１は複数の部材５，６に分離可能に構成され、前記発射手段２は、前記器具本体１の一方の部材６の前部に設けられ、前記収納体１２は、前記発射手段２に前方に突出するように着脱自在に取り付けられると共に、前記器具本体１の他方の部材５は、収納体１２を被覆するように、一方の部材６に着脱自在に取り付けられ、しかも、発射手段２は、圧縮気体が充填されたボンベ１１を備え、該ボンベ１１より噴出した圧縮気体は収納体１２内に通気して噴出物３６を発射させる構成にある。
【０００８】
そして、使用者が発射手段２を作動させると、ボンベ１１内の圧縮気体はボンベ１１より噴出して収納体１２内に流入する。この圧縮気体の圧力により収納体１２に内装された噴出物６は、空中に発射されるのである。そして、使用済みの収納体１２を取り外す際には、器具本体１を分離すれば、他方の部材５に被覆されていた収納体１２が現出するため、その収納体１２を発射手段２から取り外し、噴出物６の充填された別の収納体１２を発射手段２に取り付けることにより、容易且つ迅速に収納体１２を交換できる。
【０００９】
しかも、前記ボンベ１１は交換可能に設けられているのが好ましい。かかる場合には、ボンベ１１も容易且つ迅速に交換することができる。
【００１０】
更に、前記ボンベ１１は、前記収納体１２と平行に設けられ、しかも、前記器具本体の他方の部材５に被覆されているのが好ましい。
【００１１】
【発明の実施の形態】
以下、本発明の実施形態の一例について図面を参照して説明する。図１〜図４は本発明の一実施の形態を示し、図１及び図２に示すように、本実施形態にかかるテープ等の噴出物の発射器具は、器具本体１と、該器具本体１に挿着される発射手段２と、収納体１２により主構成される所謂バスーガータイプのものである。
【００１２】
器具本体１は、２分割された円筒状の他方の部材としての前部材５と、一方の部材としての後部材６とからなり、前部材５と後部材６は分離可能になっている。前部材５の中途部には、把持部５ａが下方に突設されると共に、後部材６の後部には、肩当部６ａが突設されている。また、前部材５及び後部材６の外周面は、絵や模様、文字などの装飾を適宜施すことにより、演出効果を高めることができる。
【００１３】
前記発射手段２は、図３及び図４に示す如く、前記後部材６の前端に装着されるベース１０と、該ベース１０に着脱自在に取り付けられるボンベ１１と、発射部１３とで主構成されている。前記ベース２０の先端部には、若干小径の嵌合凸部１４が後部材６よりも前方に突出されている。該嵌合凸部１４の外周面には、係止突起１５が突設されている。前記前部材５の後部の内周面には、環状体８が内嵌されており、該環状体８には、前記係止突起１５が挿入されるＬ字状の切り欠き１６が形成されている。
【００１４】
そして、係止突起１５を切り欠き１６に挿入させた状態で、後部材６に対して前部材５を係合方向に回転させることにより、前部材５と後部材６とを一体的に連結することができる。また、前部材５を前記とは反対方向（取り外し方向）に回転させて引き抜けば、突起１５が切り欠き１６から外れ、前部材５と後部材６とを分離することができる。
【００１５】
前記ベース１０の先端面には、図３に示す如くベース１０の中央に位置する収納体接続口１７と、該収納体接続口１７よりも下方に位置（所定間隔をおいて位置）するボンベ接続口１８とが前後方向に平行に設けられている。また、収納体接続口１７とボンベ接続口１８は、導通路１９にて連通されている。導通路１９は、収納体接続口１７に連通する第一導通路１９ａと、ボンベ接続口１８に連通する第二導通路１９ｂと、第一導通路１９ａ及び第二導通路１９ｂを連通する第三導通路１９ｃとからなる。
【００１６】
前記ボンベ接続口１８側の第二導通路１９ｂ内に後方側から臨むように、開口針２１が、ベース１０に前後方向に移動可能に設けられている。かかる開口針２１は基部側の大径部２１ａと、先端側の小径の尖端部２１ｂとからなり、大径部２１ａは、ベース１０の取付部２２に形成された支持孔２２ａに挿通され、且つ、トリガー２０に支持されている。尚、開口針２１とトリガー２０により発射部１３が構成されている。
【００１７】
前記トリガー２０は、取付部２２を介してベース１０側に固定された固定レバー２０ａと、該固定レバー２０ａにピン２３を介して前後方向に揺動自在な可動レバー２０ｂとからなる。そして、前記開口針２１の後端が可動レバー２０ｂに連結されている。従って、可動レバー２０ｂを前方に揺動させることにより、開口針２１も同じ方向（直線的）に移動することとなる。尚、開口針２１は後退時に、先端部２１ｂが第三導通路１９ｃに位置するようになっている。
【００１８】
前記ボンベ１１は、金属製のボンベ本体２５の内部に圧縮した気体を充填し、さらに吐出口部２６の先端面が閉塞されている。ボンベ本体２５に充填される気体としては、空気等が好ましい。空気であれば、引火の危険もなく、コンプレッサなどで容易に圧縮して供給可能であるからである。また、吐出口部２６の外周部には、前記ベース１０のボンベ接続口１８に形成された雌ねじに螺合される雄ねじ部２７が設けられている。
【００１９】
前記収納体１２は、ボール紙などの紙製の円筒からなる収納部材３０と、該収納部材３０の後端部に気密状態に嵌合した筒状の継手部材３１とで構成されている。継手部材３１の一端には、前記ベース１０の収納体接続口１７と螺着可能な雄ねじ部３２が設けられていると共に、継手部材３１は貫通孔３３を有し、収納体接続口１７に螺着した時に、貫通孔３３を介して前記導通路１９と収納部材３０の筒状の中空部が連通するようになっている。
【００２０】
また、収納部材３０の中空部には、テープ・紙片などからなる噴出物３６及び受圧体３７が内装されている。また、受圧体３７は、例えば発砲ウレタンなどの発砲性樹脂を円柱状に形成してなり、噴出物３６より継手部材３１側に設けられている。かかる受圧体３７は、外周が筒状部３５の内周よりも若干大きくなるように形成したものを圧入し、筒状部３５の内周面と気密状態で、且つ圧力を受けることによって移動できるようにする。さらに、収納部材３０の上端部には、噴出物３６がこぼれ出さないように発砲性樹脂から成る蓋体３９が嵌合されている。
【００２１】
上記構成から成る発射手段２において、ベース１０の前面にボンベ接続口１８及び収納体接続口１７が同一方向に設けられているため、ボンベ１１及び収納体１２は平行に設けられると共に、ボンベ１１及び収納体１２は、ベース２０の外周より出張らないように、ベース２０に配置されている。
【００２２】
本実施形態に係るテープ等の噴出物の発射器具は、以上の構成からなり、以下に該発射器具の使用例について説明する。
まず、使用者が前記発射器具を肩に担ぎ、固定レバー２０ａと可動レバー２０ｂを握ると、可動レバー２０ｂが、ピン２３を支点にして前方に揺動する。この可動レバー２０ｂの揺動により、開口針２１が可動レバー２０ｂに押されて進出し、開口針２１の尖鋭部２１ｂがボンベ本体２５の先端面を突き破る。すると、ボンベ１１内の圧縮気体は、突き破られた部分から噴出し、第二導通路１９ｂ、第三導通路１９ｃ及び第一導通路１９ａを経て収納体１２に通気する。受圧体３７は該圧縮気体の圧力により移動して、噴出物３６を発射させると共に、蓋体３９もこの圧力により、噴出物３６と一緒に発射されるのである。
【００２３】
そして、使用後に、前部材５及び後部材６を相対的に回転させて、前部材５及び後部材６を分離させる。このとき、後部材６の先端側に使用済みの収納体１２及びボンベ１１が現出するため、ベース１０に螺着している使用済みの収納体１２及びボンベ１１を交換する。しかる後、新たな収納体１２及びボンベ１１をベース１０に装着することにより、再び使用可能となるのである。
【００２４】
しかも、ボンベ１１及び収納体１２は、同一方向に並行して配置されていることから、同じ方向から交換作業ができ、しかも、かかる作業は器具本体１を分離して行えるため、その作業が行い易いという利点がある。また、収納体１２及びボンベ１１が交換可能に設けられているので、収納体１２及びボンベ１１、そして噴出物３６以外は、繰り返し使用できるため、経済的にも好ましいものにすることができる。
【００２５】
さらに、本実施の形態は、ボンベ１１にはテープ等の噴出物の発射器具を一回使用するのに必要なだけの圧縮気体が充填されていればよいので、ボンベ１１を小型化できる。しかも、噴出物６の種類及び量と、それに必要な圧縮気体の量の最適な組み合わせが容易に行える。
【００２６】
更に、圧縮気体の圧力により噴出物３６を発射させるので、噴出物３６を発射させる際の発射音が微小であり、その為噴出物３６発射時に、その場にいる人々に恐怖感を与えることがない。また、ベース１０の前面にボンベ接続口１８及び収納体接続口１７が平行に設けられる構成であるため、器具本体１の直径を有効利用してボンベ接続口１８及び収納体接続口１７の間隔を広くでき、大量のテープ等を飛散するために必要な大型のボンベが使用できる。
【００２７】
また、ボンベ接続口１８及び収納体接続口１７の間隔を広くできることから、ボンベ接続口１８、収納体接続口１７及び導通路１９のそれぞれの直径を大きくできると共に、開口針２１の直径も大きくできる。この結果、ボンベ本体２５を突き破った際に、圧縮空気を、大量に一度に噴出できると共に収納体１２に供給することができ、噴出物３６を大量に遠くまで飛ばすことが可能となる。尚、本実施の形態では、トリガーとしての固定レバー２０ａと可動レバー２０ｂを握ることにより、開口針２１を進出させるための十分な力が得られるため、開口針２１の尖端部２１ｂが大径となっても、尖端部２１ｂでボンベ本体２５を突き破ることが可能となる。
【００２８】
本発明は、前記実施の形態に限定されるものではなく、本発明の要旨を逸脱しない範囲にて種々の変更が可能である。例えば、器具本体１は、その外形が円形の筒体ではなく、楕円や三角形等の多角形筒状、もしくはボトル形状などであってもよく、２分割以外に３分割以上のものであってもよい。また、ボンベ１１は、ベース１０に固定としてもよい。この場合、ボンベ本体３０に圧縮気体の充填口を設け、圧縮気体を充填可能とすればよい。さらに、収納体１２の収納部材５０はストレート形状ではなく、発射口を２つ有するＹ形状などであってもよい。
【００２９】
さらに、収納部材３０は、紙製ではなく硬質のプラスチックなどであってもよく、収納部材を透明のプラスチックで成形すれば、内装された噴出物３６も容易に目視できるようになる。また、プラスチックの場合、筒状の成形品を使用するのが好ましく、そうすれば、収納体３０内周面の精度が出しやすく、表面粗さも小さくできるため、受圧体３７と収納部材３０の接触面での気体の漏洩が減少すると共に、受圧体３７が円滑に移動可能となる。
【００３０】
また、ボンベ１１及び収納体１２とベース１０の接続手段は、ネジ以外に例えば、ワンタッチプラグ（エアホースジョイント、ガスホースジョイントなどに類するものなどであってもよい。つまり、気密保持が可能で着脱自在な接続手段であればよい。
【００３１】
【発明の効果】
以上ように、本発明は、器具本体を分離した状態で、噴出物を発射して空になった収納体を取り外して交換することができるため、その交換作業が容易且つ迅速に行え、発射器具を繰り返し使用できる。また、内装する噴出物が異なる数種類の収納体を準備しておけば、その場の状況に応じて発射する噴出物を選択して、順次使用することもできる。
【図面の簡単な説明】
【図１】本発明の一実施の形態を示す全体の側面図である。
【図２】同器具本体を分離した状態の一部断面を含む側面図である。
【図３】同発射手段を示す断面図である。
【図４】前部材と後部材の連結部分を示す一部破断を含む分解斜視図である。
【符号の説明】
１…器具本体、２…発射手段、５…前部材（他方の部材）、６…後部材（一方の部材）、１１ボンベ、１２…収納体、３６…噴出物
【図１】
2004187793.tif 000003
【図２】
2004187793.tif 000004
【図３】
2004187793.tif 000005
【図４】
2004187793.tif 000006